(57)【要約】【課題】開封すると、容器側に開封履歴明示バンドが残るが、再封すると、再封したことが明確にわかる口栓を提供する。【解決手段】キャップ本体の下部にブリッジ部を介して接続する開封履歴明示バンドを有するキャップと、該キャップに螺着されるスパウトとからなる口栓であって、前記キャップ本体に設けられたキャップ本体側目印と、前記開封履歴明示バンドに設けられたバンド側目印の周方向の相対位置関係が、未開封時と、再封時で異なることを特徴とする。【選択図】図１
2013244998.tif 000002
【特許請求の範囲】
【請求項１】
キャップ本体の下部にブリッジ部を介して接続する開封履歴明示バンドを有するキャップと、該キャップに螺着されるスパウトとからなる口栓であって、
前記キャップ本体に設けられたキャップ本体側目印と、前記開封履歴明示バンドに設けられたバンド側目印の周方向の相対位置関係が、未開封時と、再封時で異なることを特徴とする口栓。
【請求項２】
前記開封履歴明示バンドの内周面にはバンド側突起が設けられ、前記スパウトの外周面にはスパウト側突起が設けられ、該スパウト側突起と前記バンド側突起により、開栓方向には回転が容易で、閉栓方向には回転が制限されるラチェット機構が形成されていることを特徴とする請求項１に記載の口栓。
【請求項３】
前記スパウトに設けられた雄螺子部の下方で、前記スパウト側突起より上方にリング状突起が設けられ、該リング状突起の上面は前記スパウトの外周面となす角度が鈍角になっていて、下面は前記スパウトの外周面となす角度が、上面がなす角度より垂直に近い角度になっていて、かつ、前記バンド側突起の下面は前記開封履歴明示バンドの内周面となす角度が鈍角となっていて、上面は前記開封履歴明示バンドの内周面となす角度が、下面がなす角度より垂直に近い角度になっていることを特徴とする請求項２に記載の口栓。
【発明の詳細な説明】
【技術分野】
【０００１】
本発明は、口栓に関する。更に詳細には、容器に取り付けられるスパウトと、キャップ本体の下部に接続して設けられた開封履歴明示バンドからなる口栓に関する。
【背景技術】
【０００２】
今日では、容器内容物の品質保証やいたずら防止などのため、開封履歴を明示する開封履歴明示バンド（タンパーエビデンドバンドとも、呼ばれる。）を備えた口栓が広く使用されている。そして、この種の口栓は、開封したときには、キャップ本体と開封履歴明示バンドとの連結が切断され、これにより、口栓が開封された事実を明示するようになっている。
【０００３】
このような口栓は、例えば、容器に固定されるスパウトと、スパウトに螺合するキャップとからなり、キャップはキャップ本体の下部に、破断可能なブリッジ部（弱化部）を介して接続された開封履歴明示バンドとからなっている。
【０００４】
キャップ本体を開栓方向に旋回すると、開封履歴明示バンドとキャップ本体とを繋いでいるブリッジ部が破断し、開封履歴明示バンドが切り離され、開封履歴明示バンドが切り離されている事実により、口栓が開封されたという事実を認識できるのである。
【０００５】
例えば、下部に一箇所以上のブリッジ部によって連結された開封履歴明示バンドを有するキャップと、該キャップが螺着されるクロージャーとからなり、クロージャーの外周壁にテーパー部を設けると共に、このテーパー部に上記開封履歴明示バンドの内周面に備えられた突起部が挿入される一箇所以上の凹状部を設けた改ざん防止用クロージャー構造がある。
【０００６】
このクロージャー構造では、開封すると、キャップ本体と開封履歴明示バンド（タンパーエビデンドバンド）とを連結するブリッジ部が切断されて、開封された跡が残り、改ざん防止が可能で、更に、切り離された開封履歴明示バンドが容器を逆さまにしても落ちることがない（特許文献１）。
【０００７】
また、下部に一箇所以上のブリッジ部によって連結された開封履歴明示バンドを有するキャップと、該キャップが螺着されるクロージャー本体とからなり、開封履歴明示バンドはその先端部が自由端となるようにバンドの内周面に固設された羽根状部材を備え、クロージャー本体は、羽根状部材と掛合して開封履歴明示バンドの開栓方向への回転を阻止するラチェットと羽根状部材と掛合して開封履歴明示バンドの上方への移動を阻止する凸部とを備えた改ざん防止用クロージャー構造がある。
【０００８】
このクロージャー構造でも、開封すると同様に、キャップ本体と開封履歴明示バンド（タンパーエビデンドバンド）とを連結するブリッジ部が切断されて、開封された跡が残り、改ざん防止が可能であり、且つ、切り離された開封履歴明示バンドの脱落が防止される（特許文献２）。
【０００９】
公知文献を以下に示す。
【先行技術文献】
【特許文献】
【００１０】
【特許文献１】特開２００１−７２１０１号公報
【特許文献２】特開２００１−１３０６０８号公報
【発明の概要】
【発明が解決しようとする課題】
【００１１】
しかしながら、上述した改ざん防止クロージャー構造では、いずれも、開封したのちに、開封履歴明示バンドがキャップ本体と完全に切り離されて容器側に残り、再封すると、開封履歴明示バンドがキャップ本体と切り離されているのがわかりにくく、開封されていないと誤認される恐れがあった。
【００１２】
特に、液体用紙容器の天面板に取り付ける口栓の場合は、開封履歴明示バンドとスパウトの間の隙間が広いと、液体用紙容器の開口部に内側から挿入して、口栓を取り付ける際に、この隙間に開口部端縁が入ってしまい、挿入不良が起きる可能性があり、隙間を広くできない。そのため、切り離された開封履歴明示バンドが下方にあまり動かずキャップ本体とほとんど離れず、開封履歴明示バンドがキャップ本体と切り離されているのがほとんどわからない。
【００１３】
本発明は上記した事情に鑑みてなされたもので、開封すると、容器側に開封履歴明示バンドが残るが、再封すると、再封したことが明確にわかる口栓を提供することを課題としている。
【課題を解決するための手段】
【００１４】
本発明は係る課題に鑑みなされたものであり、請求項１の発明は、キャップ本体の下部にブリッジ部を介して接続する開封履歴明示バンドを有するキャップと、該キャップに螺着されるスパウトとからなる口栓であって、
前記キャップ本体に設けられたキャップ本体側目印と、前記開封履歴明示バンドに設けられたバンド側目印の周方向の相対位置関係が、未開封時と、再封時で異なることを特徴とする口栓である。
【００１５】
本発明の口栓は、以上のような構成であって、キャップ本体に設けられたキャップ本体側目印と、開封履歴明示バンドに設けられたバンド側目印の周方向の相対位置関係が、未開封時と、再封時で異なるので、開封されたことが容易に確認できる。
【００１６】
本発明の請求項２の発明は、前記開封履歴明示バンドの内周面にはバンド側突起が設けられ、前記スパウトの外周面にはスパウト側突起が設けられ、該スパウト側突起と前記バンド側突起により、開栓方向には回転が容易で、閉栓方向には回転が制限されるラチェット機構が形成されていることを特徴とする請求項１に記載の口栓である。
【００１７】
本発明は、開栓方向には回転が容易で、閉栓方向には回転が制限されるラチェット機構が形成されているので、キャップ本体側目印と、バンド側目印の周方向の相対位置関係が、未開封時と、再封時で異なるようになり、開封されたことが容易に確認できる。
【００１８】
本発明の請求項３の発明は、前記スパウトに設けられた雄螺子部の下方で、前記スパウト側突起より上方にリング状突起が設けられ、該リング状突起の上面は前記スパウトの外周面となす角度が鈍角になっていて、下面は前記スパウトの外周面となす角度が、上面がなす角度より垂直に近い角度になっていて、かつ、前記バンド側突起の下面は前記開封履歴明示バンドの内周面となす角度が鈍角となっていて、上面は前記開封履歴明示バンドの内周面となす角度が、下面がなす角度より垂直に近い角度になっていることを特徴とする請求項２に記載の口栓である。
【００１９】
本発明はさらに、スパウトの雄螺子部の下方で前記スパウト側突起より上方にリング状
突起が設けられ、リング状突起の上面はスパウトの外周面と鈍角となっていて、下面はスパウトの外周面との角度がそれより垂直に近い角度になっていて、バンド側突起の下面は開封履歴明示バンドの内周面と鈍角となっていて、上面は開封履歴明示バンドの内周面との角度がそれより垂直に近い角度になっているので、スパウトとキャップとを成形後にセットするときに、周方向の位置関係を決めて、打栓することによって、嵌合することができる。
【００２０】
また、初回開封時には、バンド側突起の上面が、リング状突起の下面に当たって、開封履歴明示バンドが上に移動できずに、ブリッジ部が破断され、開封履歴明示バンドをスパウト側に残すことができる。
【００２１】
そのため、キャップ本体をスパウトに再封したときに、開封されたことが容易に確認できる。また、キャップ本体に開封履歴明示バンドが付いていないので、再封するときにじゃまにならない。
【発明の効果】
【００２２】
本発明の口栓は、開封すると、ブリッジが切断され、スパウト側に開封履歴明示バンドが残るが、キャップ本体に設けられたキャップ本体側目印と、開封履歴明示バンドに設けられたバンド側目印の周方向の相対位置関係が、未開封時と、再封時で異なるので、再封すると、再封したことが明確にわかる
【図面の簡単な説明】
【００２３】
【図１】本発明の口栓の一例の正面図である。
【図２】本発明の口栓の一例の再封した時の状態を示した正面図である。
【図３】図１のＸ−Ｘ断面図である。
【図４】本発明の口栓の一例の部分断面図である。
【発明を実施するための形態】
【００２４】
以下本発明を実施するための形態につき説明する。
図１は、本発明の口栓の一例の正面図、図２は、本発明の口栓の一例の再封した時の状態を示した正面図である。
【００２５】
本発明の口栓１００は、図１のように、キャップ本体１の下部に、切断可能な弱化部からなる複数のブリッジ部２を介して接続する開封履歴明示バンド３を有するキャップ４と、キャップ４に螺着されるスパウト５とからなっている。
【００２６】
キャップ本体１は、頂板部６と、頂板部６の周縁部から垂下しているスカート部７とから成っている。
【００２７】
そして、スカート部７の外面には、滑り止め用のローレット８が形成されており、手で廻して、キャップ本体１の閉栓方向及び開栓方向への旋回をスムーズに行えるようになっている。 
【００２８】
また、スカート部７の下部には、キャップ本体側目印９が設けられ、一方、開封履歴明示バンド３には、バンド側目印１０が設けられている。このキャップ本体側目印９とバンド側目印１０は本例では、開封前は図１のように、周方向の位置が一致していて、再封すると図２のように、周方向の相対位置関係がずれて異なるようになっている。
【００２９】
本例では、キャップ本体側目印９を下向きの矢印、バンド側目印１０を上向きの矢印としたが、特にこれに限ることはなく、例えば、キャップ本体１のスカート部４と開封履歴
明示バンド３にわたって一体となるように、文字や記号あるいは図形等を設けて、周方向の相対位置関係のズレが明確にわかるようにしても良い。
【００３０】
また、キャップ本体側目印９とバンド側目印１０を、盛り上げて設けたり、刻設したりしてもよく、また、直印刷や転写による印刷や、あるいは多色成形により、周囲と色を変えて設けてもよい。
【００３１】
図３は、図１のＸ−Ｘ断面図、図４は、本発明の口栓の一例の部分断面図である。
図３のように、開封履歴明示バンド３の内周面には、バンド側突起１１が設けられている。また、スパウト５の外周面には、スパウト側突起１２が設けられている。
【００３２】
バンド側突起１１は、キャップ４の開栓方向ａにおける進行方向側が、開封履歴明示バンド３の内周面に対して緩やかな鈍角となっていて、進行方向と逆側が、それより傾斜が急でほぼ垂直に近くなっている。一方、スパウト側突起１２は、開栓方向ａにおける進行方向と逆側がスパウト５の外周面に対して緩やかな鈍角となっていて、開栓方向ａにおける進行方向側は、それより傾斜が急でほぼ垂直に近くなっている。
【００３３】
このような形状のスパウト側突起１２とバンド側突起１１により、開栓方向には開封履歴明示バンド３の回転が容易で、閉栓方向には回転が制限されるラチェット機構が形成されている。
【００３４】
図４は、口栓１００の縦断面の部分断面図である。スパウト５の外周面には、雄螺子部１３が設けられている。また、キャップ本体１のスカート部７の内周面には、雌螺子部１４が設けられていて、雄螺子部１３と雌螺子部１４でスパウト５とキャップ本体１が螺合している。
【００３５】
スパウト５の雄螺子部１３の下方でスパウト側突起１２（図４の断面にはない）より上方には、リング状突起１５が設けられている。リング状突起１５の上面はスパウト５の外周面と鈍角となっていて、下面はスパウト５の外周面との角度がそれより垂直に近い角度になっている。
【００３６】
一方、バンド側突起１１の下面は開封履歴明示バンド３の内周面と鈍角となっていて、上面は開封履歴明示バンド３の内周面との角度がそれより垂直に近い角度になっている。このようになっているので、スパウト５とキャップ４を成形後、セットするときに、周方向の位置関係を決めて打栓するが、リング状突起１５をバンド側突起１１が容易に越すことができ嵌合することができる。
【００３７】
初回開封するとき、キャップ本体１を開栓方向に廻すと、開封履歴明示バンド３の内周面のバンド側突起１１は、スパウト側突起１２に当たり、それぞれ接する面が鈍角をなしているので、外側に押されて、開封履歴明示バンド３はバンド側突起１１の位置が外側に出て変形する。そのため、開封履歴明示バンド３のバンド側突起１１は、スパウト側突起１２を容易に乗り越え、開封履歴明示バンド３が回転される。
【００３８】
更にキャップ本体１を開栓方向に廻すと、バンド側突起１１が上方向にも移動して、その上面が、リング状突起１５の下面に当たり、キャップ本体１を開栓方向に廻しても、バンド側突起１１が上方向に移動できなくなる。
【００３９】
そのため、開封履歴明示バンド３も上に移動しなくなり、キャップ本体１と開封履歴明示バンド３をつないでいたブリッジ部２が切断される。開封履歴明示バンド３の下には、図４のように、隙間が開いていて、開封履歴明示バンド３は下に移動する。そして、開封
履歴明示バンド３がスパウト５に残ったまま、キャップ本体１が回転して、スパウト５から外れ開封される。
【００４０】
再封するときは、キャップ本体１をスパウト５に被せ、閉栓方向に廻して、螺合させる。更に廻していくと、キャップ本体１の頂板部６の内面が、スパウト５の上端部に当たり止る。
【００４１】
このとき、キャップ本体１に設けたキャップ本体側目印９は、ほぼ初回開封時と同じ位置に来るが、バンド側目印１０は、初回開封するときに、開封履歴明示バンド３のバンド側突起１１が、スパウト側突起１２を乗り越えて、周方向の位置がずれている。
【００４２】
しかも、バンド側突起１１とスパウト側突起１２は、開栓方向には開封履歴明示バンド３の回転が容易で、閉栓方向には回転が制限されるラチェット機構を形成しているので、開封履歴明示バンド３が周方向に回転して、周方向の位置がずれたまま戻らない。
【００４３】
そのため、キャップ本体側目印９と、バンド側目印１０の周方向の相対位置関係が、未開封時と異なる。これにより、口栓１００が開封された後、再封されたことが明確にわかる。
【００４４】
本例の口栓１００においては、バンド側突起１１が、スパウト側突起１２とともに、開栓方向には開封履歴明示バンド３の回転が容易で、閉栓方向には回転が制限されるラチェット機構を構成し、また、バンド側突起１１がリング状突起１５に当たり、開封履歴明示バンド３が上に移動できなくなって、ブリッジ部が切断されるようになっている。
【００４５】
このラチェット機構とブリッジ部の切断の機能は、同じバンド側突起１１ではなく別の突起で行うようにしても構わない。しかし、別々に設けるには、スペースの問題や、構造が複雑になるなど、デメリットがあり、同じバンド側突起１１でラチェット機構とブリッジ部の切断の機能を果たさせるのがよい。
【００４６】
この口栓１００を作るには、熱可塑性樹脂を使用して、インジェクション成形により作ることができる。熱可塑性樹脂としては、汎用プラスチックであるポリエチレンや、ポリプロピレンが好ましく用いられる。
【００４７】
キャップ４とスパウト５をインジェクション成形で作成し、打栓して、キャップ４とスパウト５をセットする。これにより、キャップ４とスパウト５が組み合わされて口栓１００ができる。
【００４８】
尚、キャップ本体側目印９とバンド側目印１０の周方向における相対位置を合わせる方法としては、文字や記号などを盛り上げて設けたり、刻設したりする場合は、インジェクション成形時に行われ、印刷などにより設ける場合は、キャップ４とスパウト５がセットされた状態で行われる。
【００４９】
本例の口栓１００は、液体紙容器に用いるもので、スパウトの下部を周囲に延ばして台座とし、液体紙容器の貫通丸穴に内側から差し込んで、台座を液体紙容器の内壁に熱溶着させて用いるものである。
【００５０】
本発明の口栓は、液体紙容器に限らず、スパウトの下部の形状を変えることによって、他の容器にも用いることができる。例えば、プラスチックやガラスのボトルに用いることもできるし、また、バッグインボックスの口栓としても用いることができる。
【００５１】
以上のように、本発明の口栓は、キャップ本体に設けられたキャップ本体側目印と、開封履歴明示バンドに設けられたバンド側目印の周方向の相対位置関係が、未開封時と、再封時で異なるので、開封されたことが容易に確認できる。
【符号の説明】
【００５２】
１００・・・口栓
１・・・キャップ本体
２・・・ブリッジ部
３・・・開封履歴明示バンド
４・・・キャップ
５・・・スパウト
６・・・頂板部
７・・・スカート部
８・・・ローレット
９・・・キャップ本体側目印
１０・・・バンド側目印
１１・・・バンド側突起
１２・・・スパウト側突起
１３・・・雄螺子部
１４・・・雌螺子部
１５・・・リング状突起
ａ・・・開栓方向
【図１】
2013244998.tif 000003
【図２】
2013244998.tif 000004
【図３】
2013244998.tif 000005
【図４】
2013244998.tif 000006